(57)【要約】【課題】設備機器を操作するためのリモコンを不要にする。【解決手段】空調機や照明設備等の設備機器３００の運転を制御する設備管理装置１００は、各設備機器３００を運転操作するための操作画面のデータを記載したホームページをデータ管理部１４０に記憶し、Ｗｅｂブラウザ機能を有する操作端末２００からの所望の設備機器３００の運転要求に基づき、ホームページに記載された所望の設備機器３００を運転操作するための操作画面のデータを操作端末２００に送信し、操作端末２００からの操作画面による設定要求に基づき所望の設備機器３００の運転を制御する。【選択図】        図１
2004150667.tif 000002
【特許請求の範囲】
【請求項１】
空調機や照明設備等の設備機器の運転を制御する設備管理装置において、
各設備機器を運転操作するための操作画面のデータを記載したホームページを記憶し、
Ｗｅｂブラウザ機能を有する操作端末からの所望の設備機器の運転要求に基づき、上記ホームページに記載された上記所望の設備機器を運転操作するための操作画面のデータを上記操作端末に送信し、
上記操作端末からの上記操作画面による設定要求に基づき上記所望の設備機器の運転を制御することを特徴とする設備管理装置。
【請求項２】
操作端末を使用するユーザの認証を行ってから、所望の設備機器の操作画面のデータを操作端末に送信することを特徴とする請求項１記載の設備管理装置。
【請求項３】
ユーザの認証後に、利用可能な機能や操作可能な設備機器の情報を含む認証コードを発行し、発行してから所定時間内に、発行した認証コードによる操作端末からの接続がない場合に上記認証コードを失効させることを特徴とする請求項２記載の設備管理装置。
【請求項４】
設備機器を操作するための機能毎に独立したスイッチを備えたことを特徴とする請求項１記載の設備管理装置。
【請求項５】
室外機と室内機により構成される空調機を運転操作するための操作画面に、操作端末からの要求に基づき上記空調機の設定温度を所定の温度だけ上下方向に変更するためのスイッチを含むことを特徴とする請求項１記載の設備管理装置。
【請求項６】
複数の操作端末から要求があった場合に、所定の操作端末からの要求を優先させて設定温度を変更することを特徴とする請求項５記載の設備管理装置。
【請求項７】
複数の操作端末から要求があった場合に、上下方向の多数決により設定温度を変更することを特徴とする請求項５記載の設備管理装置。
【発明の詳細な説明】
【０００１】
【発明の属する技術分野】
この発明は空調機や照明機器等の設備機器の運転状態の監視や運転の制御を行う設備管理装置に関するものである。
【０００２】
【従来の技術】
室外機と複数台の室内機により構成される従来の空調機の制御システムでは、壁や柱等に設置された個別のリモコンにより各室内機の操作を行い、伝送線を介して接続された設備管理装置としての集中リモコンにより全ての室内機の運転を集中管理している。また、この集中リモコンでは、一般的に少数のタッチキースイッチと表示画面を備えており、表示画面によりタッチキースイッチの機能を変えることにより、少数のタッチキースイッチで集中リモコンの多機能化を実現している。
【０００３】
また、各空調機をＬＡＮで接続された汎用コンピュータからＷＥＢブラウザで監視、操作する従来技術として、特許文献１に開示された方法がある。この発明は、ビル内の空調機を集中管理しそれぞれの空調機を個別に制御する設備管理装置としてのビル空調監視制御装置と、汎用コンピュータ上でＷＷＷ（ＷｏｒｌｄＷｉｄｅ  Ｗｅｂ）ブラウザを利用し空調機の操作パネルを実現した制御端末装置と、制御端末装置を汎用の通信プロトコルを用いてビル空調監視制御装置にネットワーク接続する通信インタフェース部と、ビル空調監視制御装置内に内蔵される制御端末装置と制御される空調機の対応を示すアドレステーブルと、アドレステーブルに基づき制御端末からの制御指令を対応する空調機への制御指令に変換するアドレス付加部を備えたことを特徴としたものである。
【０００４】
【特許文献１】
特開２００１−１４１２８９公報（段落番号０００９、図１、図２）
【０００５】
【発明が解決しようとする課題】
従来の設備管理装置は以上のように構成されているので、ユーザが室内機を使用する場合には、個々の室内機に対応するリモコンがそれぞれ必要であり、工事費と合わせると高コストになると共に、部屋の色調を考慮するとリモコンの設置自体が問題となり、壁の色とリモコンの色を統一させる場合には、さらに高コストになるという課題があった。
【０００６】
また、ユーザはリモコンがどこにあるのか探す必要があり、同一部屋に複数の室内機やリモコンがある場合には、どのリモコンがどの室内機に対応しているのか不明な場合があり、ユーザが所望の室内機を運転するのが困難であるという課題があった。
【０００７】
さらに、室内機に特別な仕様が発生した場合に、リモコンの表示部やスイッチ部を変更する必要があり、高コストになるという課題があった。
【０００８】
さらに、集中リモコンは、一般的に少数のタッチキースイッチと表示画面を備えており、表示画面によりタッチキースイッチの機能が異なったり、また、タッチキースイッチ自体も表示画面内に表示されるので、必要な表示内容の表示領域が狭くなり、多段又はスクロール表示が必要で見ずらくなり、管理専門以外の一般ユーザには、この集中リモコンを操作しにくいという課題があった。
【０００９】
さらに、特許文献１に開示された方法では、ビル空調監視制御装置（設備管理装置）が制御端末装置（操作端末）に割り振られたネットワークアドレスを判別して空調機との関連付けを行うため、１台の操作端末からは１台の空調機しか操作できず、複数の空調機が設置されている場合は、複数の操作端末を用意する必要があるという課題があった。
【００１０】
さらに、上記方法では、操作端末をネットワークアドレスのみで判別しているため、操作端末のネットワークアドレスを、許可された操作端末のものに変更するだけで空調機の操作が可能となり、許可されていない人でも、勝手に空調機を操作してしまうという課題があった。
【００１１】
この発明は上記のような課題を解決するためになされたもので、リモコンが不要で、部屋の色調にも影響せず、ユーザがリモコンを探す必要がなく所望の室内機や照明機器等の設備機器を容易に操作でき、設備機器の特別な仕様に対しても安価なコストで対応できる設備管理装置を得ることを目的とする。
【００１２】
また、１台の操作端末から複数の室内機や照明機器等の設備機器を操作することができ、許可された操作端末以外からの不正操作を防止できる設備管理装置を得ることを目的とする。
【００１３】
【課題を解決するための手段】
この発明に係る設備管理装置は、各設備機器を運転操作するための操作画面のデータを記載したホームページを記憶し、Ｗｅｂブラウザ機能を有する操作端末からの所望の設備機器の運転要求に基づき、ホームページに記載された所望の設備機器を運転操作するための操作画面のデータを操作端末に送信し、操作端末からの操作画面による設定要求に基づき所望の設備機器の運転を制御するものである。
【００１４】
【発明の実施の形態】
以下、この発明の実施の一形態を説明する。
実施の形態１．
図１はこの発明の実施の形態１による設備管理装置を含む設備機器の制御システムを示すブロック図である。図１において、設備管理装置１００は空調機や照明設備等の設備機器３００の運転状態の監視や運転の制御を行う。操作端末２００は汎用のパソコンと同等の端末であり、設備管理装置１００を介して設備機器３００の運転状態の監視や運転の制御を行う。
【００１５】
また、図１において、設備管理装置１００は、空調機や照明機器等の設備機器３００の監視内容や制御内容を表示する表示部１１０と、設備機器３００の制御内容を入力する入力部１２０と、設備機器３００の監視や制御を行う監視・制御管理部１３０と、監視データや制御データを蓄えると共に、各設備機器３００を運転操作するための操作画面のデータを記載したホームページのＨＴＭＬ（Ｈｙｐｅｒ  Ｔｅｘｔ  Ｍａｒｋｕｐ  Ｌａｎｇｕａｇｅ）ファイルを記憶したデータ管理部１４０と、操作端末２００に対する通信を管理しＷｅｂブラウザ機能を有する操作端末用通信管理部１５０と、操作端末２００を使用するユーザの認証を行う認証管理部１６０と、設備機器３００に対する通信を管理する設備機器用通信管理部１７０から構成されている。
【００１６】
また、図１において、操作端末２００は、設備管理装置１００と通信を行いＷｅｂブラウザ機能を有する通信管理部２１０と、設備管理装置１００に対して認証手続きを行う認証管理部２２０と、設備機器３００の監視内容や制御内容を表示する表示部２３０と、設備機器３００の制御内容を入力する入力部２４０から構成されている。
【００１７】
さらに、図１において、設備機器３００は、設備管理装置１００と通信を行う通信管理部３１０と、設備機器３００の制御を行う設備制御部３２０から構成されている。設備管理装置１００と操作端末２００はＬＡＮにて接続され、設備管理装置１００と設備機器３００は専用制御線にて接続される。この実施の形態１では、設備管理装置１００と操作端末２００間はＬＡＮで接続しているが、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）プロトコルが利用できるＰＨＳ通信や無線ＬＡＮ等の他の通信インフラを利用することも可能である。
【００１８】
図２は設備管理装置１００のデータ管理部１４０に記憶されているホームページのＨＴＭＬファイルに記載された設備機器３００を操作するための操作画面４００を示す図である。操作画面４００ａはアドレスＵＲＬａのホームページのＨＴＭＬファイルに記載された設備機器３００ａを運転操作するためのリモートコントローラ画面となっており、また、操作画面４００ｂはアドレスＵＲＬｂのホームページのＨＴＭＬファイルに記載された設備機器３００ｂを運転操作するためのリモートコントローラ画面となっている。
【００１９】
次に設備機器３００ａの遠隔操作方法について説明する。
図３は設備機器３００ａを遠隔操作する場合の操作端末２００ａと設備管理装置１００の処理の流れを示すフローチャートである。ステップＳＴ１１で、操作端末２００ａにてＷｅｂブラウザを起動すると、ステップＳＴ１２で、操作端末２００ａの表示部２３０ａに認証画面が表示される。ステップＳＴ１１でＷｅｂブラウザが起動されると、ステップＳＴ１３で、設備管理装置１００の認証管理部１６０は認証手続き毎に変化する暗号コードを発行して操作端末２００ａに送信する。
【００２０】
ステップＳＴ１４で、操作端末２００ａの認証管理部２２０ａは、ユーザから入力部２４０ａを介して入力されたユーザ名、パスワードを、設備管理装置１００から受信した暗号コードにより暗号化して設備管理装置１００に送信する。ステップＳＴ１５で、設備管理装置１００の認証管理部１６０は、受信したユーザ名、パスワードと予め登録されているユーザ名、パスワードとを照合することで認証を行い、認証されれば認証コードを発行して操作端末２００ａに送信する。この認証コードには、利用可能な機能や操作可能な設備機器等の情報が含まれている。
【００２１】
ステップＳＴ１６で、操作端末２００ａの表示部２３０ａに表示されているＷｅｂブラウザのアドレス入力欄に、ユーザにより入力部２４０ａを介して、設備管理装置１００のＩＰ（Ｉｎｔｅｒｎｅｔ  Ｐｒｏｔｏｃｏｌ）アドレスと所望の設備機器３００ａを運転操作するための操作画面４００ａのデータが記載されたＨＴＭＬファイルのホームページのアドレスＵＲＬａを指定する。Ｗｅｂブラウザは通信管理部２１０ａを介して設備管理装置１００にアドレスＵＲＬａのホームページの内容をＨＴＴＰ（Ｈｙｐｅｒ  Ｔｅｘｔ  Ｔｒａｎｓｆｅｒ  Ｐｒｏｔｏｃｏｌ）プロトコルにて問い合わせる。このとき、設備管理装置１００から受信した認証コードを付与する。
【００２２】
ステップＳＴ１７で、設備管理装置１００は送付された認証コードを確認し、指定された操作画面４００ａのデータにアクセス可能な認証コードであれば、データ管理部１４０に記憶されている図２に示すアドレスＵＲＬａのホームページのＨＴＭＬファイルに記載された設備機器３００ａを運転操作するための操作画面４００ａのデータを操作端末２００ａに送信する。ステップＳＴ１８で、操作端末２００ａでは、Ｗｅｂブラウザが送信された操作画面４００ａを表示部２３０ａに表示し、ユーザが表示されている操作画面４００ａにより運転操作を行うことにより、設備管理装置１００にＸＭＬ言語を用いたコマンドにて設定要求が送信される。
【００２３】
ステップＳＴ１９で、設備管理装置１００の監視・制御管理部１３０は受信した設定要求に基づき設備機器３００ａに制御指令を送信する。設備機器３００ａでは、通信管理部３１０ａが設備管理装置１００からの制御指令を受信し、設備制御部３２０ａが受信した制御指令に基づき設備機器３００ａの制御を行う。設備管理装置１００は、発行してから所定時間内に、発行した認証コードによる操作端末２００ａからの接続がない場合に認証コードを失効させる。
【００２４】
また、操作端末２００ａはＨＴＭＬファイルのホームページのアドレスＵＲＬｂを指定すれば、設備機器３００ｂの制御を行うことができる。同様にして、操作端末２００ｂはＨＴＭＬファイルのホームページのアドレスＵＲＬａ又はＵＲＬｂを指定することにより、設備機器３００ａ又は設備機器３００ｂの制御を行うことができる。
【００２５】
以上のように、この実施の形態１によれば、Ｗｅｂブラウザ機能を有した各ユーザのパソコンである操作端末２００が設備機器３００のリモコンの代わりとなるので、リモコンが不要となり、部屋の色調にも影響を与えず、ユーザがリモコンを探す必要がなく所望の設備機器３００を容易に操作でき、設備機器３００に特別な仕様が発生した場合にも、設備管理装置１００のプログラムを変更することにより安価なコストで対応できるという効果が得られる。
【００２６】
また、この実施の形態１によれば、操作端末２００が所望の設備機器３００に対応するＨＴＭＬファイルのホームページのアドレスを指定し操作画面を入手して所望の設備機器３００を操作することにより、１つの操作端末２００が複数の設備機器３００の操作を行うことができるという効果が得られる。
【００２７】
さらに、この実施の形態１によれば、設備管理装置１００が認証を行うことにより操作端末２００からの操作が可能となるため、不特定の人が勝手に設備機器３００を操作することを防ぐことができるという効果が得られる。
【００２８】
さらに、この実施の形態１によれば、操作端末２００が認証の度に変化する暗号コードによりユーザ名、パスワードを暗号化しているため、通信内容を傍受された場合でも、暗号化の法則を知らない限り、ユーザ名、パスワードを解読することが不可能であり、設備機器３００の不正操作を防ぐことができるという効果が得られる。
【００２９】
さらに、この実施の形態１によれば、設備管理装置１００が発行する認証コードに、利用可能な機能や操作可能な設備機器３００等の情報が含まれていることにより、ユーザは特定の設備機器３００しかアクセスすることができず、不正操作を防ぐことができると共に、発行してから所定時間内に、発行した認証コードによる操作端末２００からの接続がない場合には、発行した認証コードを失効させることにより、認証コードが漏洩した場合にも不正操作を防ぐことができるという効果が得られる。
【００３０】
実施の形態２．
この実施の形態２では、設備管理装置１００として集中リモコンを使用し、操作端末２００としてパソコンを使用し、設備機器３００として室外機と室内機により構成された空調機を使用したものである。図４はこの発明の実施の形態２による設備管理装置としての集中リモコンを含む空調機の制御システムを示すブロック図である。
【００３１】
図４において、集中リモコン５０１は機能毎に異なる独立したスイッチ１２０を備えている。空調機は室外機５０２と、この室外機５０２に冷媒配管５０４を介して複数台接続された室内機５０３により構成され、空調機の専用通信線である伝送媒体５０５を介して、集中リモコン５０１とデータ授受を行なうことにより運転制御が行われる。パソコン５００はＬＡＮ５０６を介して集中リモコン５０１と接続され空調機の遠隔操作を行う。
【００３２】
なお、集中リモコン５０１、パソコン５００、室外機５０２と室内機５０３により構成された空調機の各内部構成は、それぞれ実施の形態１の図１に示す設備管理装置１００、操作端末２００、設備機器３００の各内部構成と同等の構成を有するものとする。
【００３３】
集中リモコン５０１により室内機５０３ａ，５０３ｂの運転を制御する場合には、機能毎に異なる独立したスイッチ１２０を操作することにより、従来のような少数のタッチキースイッチに比べて操作内容が限定されるので、一般ユーザが集中リモコン５０１により運転制御を容易に行える。
【００３４】
次に室内機５０３ａの遠隔操作方法について説明する。
室内機５０３ａのを遠隔操作する場合のパソコン５００ａと集中コントローラ５０１の処理の流れを示すフローチャートは、実施の形態１の図３に示すフローチャートにおいて、設備管理装置１００を集中リモコン５０１とし、操作端末２００をパソコン５００ａとし、設備機器３００ａを室内機５０３ａとしたものと同様である。
【００３５】
以上のように、この実施の形態２によれば、機能毎に異なる独立したスイッチ１２０を設備管理装置である集中リモコン５０１に備えるようにしたので、操作内容が限定され、一般ユーザにとって集中操作が容易になるという効果が得られる。
【００３６】
また、この実施の形態２によれば、Ｗｅｂブラウザ機能を有した各ユーザのパソコン５００が空調機のリモコンの代わりとなるので、リモコンが不要となり、部屋の色調にも影響を与えず、ユーザがリモコンを探す必要がなく所望の室内機５０３を容易に操作でき、室内機５０３に特別な仕様が発生した場合にも、集中リモコン５０１のプログラムを変更することにより安価なコストで対応できるという効果が得られる。
【００３７】
さらに、この実施の形態２によれば、パソコン５００が所望の室内機５０３に対応するＨＴＭＬファイルのホームページのアドレスを指定し操作画面を入手して所望の室内機５０３を操作することにより、１つのパソコン５００が複数の室内機５０３の操作を行うことができるという効果が得られる。
【００３８】
さらに、この実施の形態２によれば、集中リモコン５０１が認証を行うことによりパソコン５００からの操作が可能となるため、不特定の人が勝手に室内機５０３を操作することを防ぐことができるという効果が得られる。
【００３９】
さらに、この実施の形態２によれば、パソコン５００が認証の度に変化する暗号コードによりユーザ名、パスワードを暗号化しているため、通信内容を傍受された場合でも、暗号化の法則を知らない限り、ユーザ名、パスワードを解読することが不可能であり、室内機５０３の不正操作を防ぐことができるという効果が得られる。
【００４０】
さらに、この実施の形態２によれば、集中リモコン５０１が発行する認証コードに、利用可能な機能や操作可能な室内機５０３等の情報が含まれていることにより、ユーザは特定の室内機５０３しかアクセスすることができず、不正操作を防ぐことができると共に、発行してから所定時間内に、発行した認証コードによるパソコン５００からの接続がない場合には、発行した認証コードを失効させることにより、認証コードが漏洩した場合にも不正操作を防ぐことができるという効果が得られる。
【００４１】
実施の形態３．
この実施の形態３は、実施の形態２と同様に、設備管理装置１００として集中リモコンを使用し、操作端末２００としてパソコンを使用し、設備機器３００として室外機と室内機により構成された空調機を使用したものである。図５はこの発明の実施の形態３による設備管理装置としての集中リモコンを含む空調機の制御システムを示すブロック図であり、集中リモコン５０１、パソコン５００、室外機５０２と室内機５０３により構成された空調機は、実施の形態２と同様のものである。
【００４２】
集中リモコン５０１により室内機５０３ａ，５０３ｂの運転を制御する場合には、機能毎に異なる独立したスイッチ１２０を操作することにより、従来のような少数のタッチキースイッチに比べて操作内容が限定されるので、一般ユーザが集中リモコン５０１により運転制御を容易に行える。
【００４３】
図６は集中コントローラ５０１のデータ管理部１４０に記憶されているホームページのＨＴＭＬファイルに記載された室内機５０３を操作するための操作画面４０１を示す図である。操作画面４０１ａはアドレスＵＲＬａのホームページのＨＴＭＬファイルに記載された室内機５０３ａを運転操作するためのリモートコントローラ画面となっており、操作画面４０１ｂはアドレスＵＲＬｂのホームページのＨＴＭＬファイルに記載された室内機５０３ｂを運転操作するためのリモートコントローラ画面となっている。図６に示すように、操作画面４０１は実施の形態１の図２に示す操作画面４００と比較して、冷房及び暖房のスイッチと設定温度の表示が削除されている。
【００４４】
次に室内機５０３ａの遠隔操作方法について説明する。
室内機５０３ａを遠隔操作する場合のパソコン５００ａと集中コントローラ５０１の処理の流れを示すフローチャートは、実施の形態１の図３に示すフローチャートにおいて、設備管理装置１００を集中リモコン５０１とし、操作端末２００ａをパソコン５００ａとし、設備機器３００ａを室内機５０３ａとしたものと同様である。
【００４５】
ただし、図３のステップＳＴ１７で、集中リモコン５０１はデータ管理部１４０に記憶されている図６に示すアドレスＵＲＬａのホームページのＨＴＭＬファイルに記載された室内機５０３ａを運転操作するための操作画面４０１ａのデータをパソコン５００ａに送信する。また、ステップＳＴ１８で、パソコン５００ａでは、Ｗｅｂブラウザが送信された操作画面４０１ａを表示部２３０ａに表示し、ユーザが表示されている操作画面４０１ａから操作を行うことにより、集中リモコン５０１にＸＭＬ言語を用いたコマンドにて設定要求が送信される。
【００４６】
図７は集中リモコン５０１の室内機５０３ａに対する運転制御の処理を示すフローチャートである。ステップＳＴ２１で、パソコン５００ａのユーザが暑いと感じたときに、操作画面４０１ａの暑い時スイッチを押して、集中リモコン５０１が暑い時情報を受信すると、ステップＳＴ２２で、集中リモコン５０１は室内機５０３ａに設定温度を１ｄｅｇ下げるよう指示を送信する。
【００４７】
また、ステップＳＴ２３で、パソコン５００ａのユーザが寒いと感じたときに、操作画面４０１ａの寒い時スイッチを押して、集中リモコン５０１が寒い時情報を受信すると、ステップＳＴ２４で、集中リモコン５０１は室内機５０３ａに設定温度を１ｄｅｇ上げるよう指示を送信する。このようにして、パソコン５００ａが設置されている空間に対応する室内機５０３ａの設定温度が制御される。
【００４８】
パソコン５００ｂも室内機５０３ａと同じ空間に設置されている。同様にパソコン５００ｂのユーザもＨＴＭＬファイルのホームページのアドレスＵＲＬａを指定し、室内機５０３ａの設定温度を制御する。パソコン５００ａ及びパソコン５００ｂから操作される毎に、集中リモコン５０１は室内機５０３ａの設定温度を変更する。ここでは、２つのパソコン５００ａ，５００ｂは平等であり、設定温度はそれぞれの操作回数に依存して変更される。
【００４９】
図２に示す表示画面では設定温度自体が表示されるので、同じ室内機５０３ａを複数のユーザが操作する場合には、設定温度についての個人差による操作の衝突をユーザに意識させやすいが、この実施の形態３では設定温度自体が表示されず、単に暑い、寒いと強く感じたユーザの意向が反映されるので、操作の衝突を意識させにくい。
【００５０】
なお、設定温度はそれぞれの操作回数に依存しているが、パソコン５００ａ，５００ｂで優先順位をつけて、例えばパソコン５００ａからの要求を優先させて設定温度を変更するようにしても良い。また、３台以上のパソコン５００が同一の室内機５０３を操作する場合には、寒い時情報と暑い時情報の多数決により設定温度を変更するようにしても良い。
【００５１】
以上のように、この実施の形態３によれば、実施の形態２と同様の効果が得られると共に、ユーザは操作の衝突を意識することなく、室内機の操作を行うことができるという効果が得られる。
【００５２】
【発明の効果】
以上のように、この発明によれば、設備管理装置が、各設備機器を運転操作するための操作画面のデータを記載したホームページを記憶し、Ｗｅｂブラウザ機能を有する操作端末からの所望の設備機器の運転要求に基づき、ホームページに記載された所望の設備機器を運転操作するための操作画面のデータを操作端末に送信し、操作端末からの操作画面による設定要求に基づき所望の設備機器の運転を制御することにより、操作端末が設備機器リモコンの代わりとなるのでリモコンが不要となり、ユーザが所望の設備機器を容易に操作できるという効果が得られる。
【図面の簡単な説明】
【図１】この発明の実施の形態１による設備管理装置を含む設備機器の制御システムを示すブロック図である。
【図２】この発明の実施の形態１による設備管理装置のデータ管理部に記憶されているホームページのＨＴＭＬファイルに記載された設備機器を操作するための操作画面を示す図である。
【図３】この発明の実施の形態１において、設備機器を遠隔操作する場合の操作端末と設備管理装置の処理の流れを示すフローチャートである。
【図４】この発明の実施の形態２による設備管理装置としての集中リモコンを含む空調機の制御システムを示すブロック図である。
【図５】この発明の実施の形態３による設備管理装置としての集中リモコンを含む空調機の制御システムを示すブロック図である。
【図６】この発明の実施の形態３による設備管理装置としての集中リモコンのデータ管理部に記憶されているホームページのＨＴＭＬファイルに記載された室内機を操作するための操作画面を示す図である。
【図７】この発明の実施の形態３による設備管理装置としての集中リモコンの室内機に対する運転制御の処理を示すフローチャートである。
【符号の説明】
１００  設備管理装置、１１０  表示部、１２０  入力部、１３０  監視・制御管理部、１４０  データ管理部、１５０  操作端末用通信管理部、１６０  認証管理部、１７０  設備機器用通信管理部、２００  操作端末、２１０  通信管理部、２２０  認証管理部、２３０  表示部、２４０  入力部、３００  設備機器、３１０  通信管理部、３２０  設備制御部、４００  操作画面、４０１  操作画面、５００  パソコン、５０１  集中リモコン、５０２  室外機、５０３  室内機、５０４  冷媒配管、５０５  伝送線。
【図１】
2004150667.tif 000003
【図２】
2004150667.tif 000004
【図３】
2004150667.tif 000005
【図４】
2004150667.tif 000006
【図５】
2004150667.tif 000007
【図６】
2004150667.tif 000008
【図７】
2004150667.tif 000009